(57)【要約】【課題】コンデンサ装置は、金属製の容器にコンデンサ素体が入れられ、コンデンサ素体の上部に保護板が配置された後に、蓋板が容器に接合され絶縁媒体が充填される。圧力スイッチ方式の保安装置が取り付けられるように構成されたコンデンサ装置に、切断基板片方式の保安装置を取り付けようとした場合、保護板が保安装置の絶縁板や切断片に干渉し取り付ける事が出来ないといった問題があった。【解決手段】コンデンサ素体と、切断基板片方式の保安装置と、保護板が容器内に収納され、蓋板によって密閉され絶縁媒体が充填されたコンデンサ装置において、前記保護板の前記保安装置と干渉する部分に切り欠きを設けたことを特徴としている。【選択図】図１
2014183148.tif 000002
【特許請求の範囲】
【請求項１】
コンデンサ素体と、切断基板片方式の保安装置と、保護板が容器内に収納され、蓋板によって密閉され絶縁媒体が充填されたコンデンサ装置において、前記保護板の前記保安装置と干渉する部分に切り欠きを設けたことを特徴とするコンデンサ装置。
【発明の詳細な説明】
【技術分野】
【０００１】
本発明は、シート状の誘電体と電極箔とからなるコンデンサ素子が複数並設されて構成されたコンデンサ素体が、金属容器内に絶縁媒体とともに封入されている電力用などに使用されるコンデンサ装置に関するものである。
【背景技術】
【０００２】
従来技術について図３を用いて説明する。図３はコンデンサ装置１の構成を示している。金属製の容器２の内部にコンデンサ素体３が収納される。コンデンサ素体３は、複数のコンデンサ素子が集合板によって挟まれた後、集合バンドによって緊縛され絶縁紙４で包装されている。コンデンサ素体３の上面には引き出し端子５が導出されている。因みに、コンデンサ素体の構成が特許文献１等にて開示されている。
【０００３】
コンデンサ素体３が容器２の内部に収納された後、保護板６がコンデンサ素体３の上面に配置される。そして、蓋板（図示せず）が容器２の上部に配置され、蓋板と容器の周囲が溶接によって接合される。保護板６は、コンデンサ素体３と容器２との絶縁を補強すること、および、蓋板が容器に溶接される際、スパッタからコンデンサ素体３を覆っている絶縁紙４を保護するために用いられる。そして、容器の内部に絶縁媒体が封入されてコンデンサ装置１が完成する。また、コンデンサ装置１には、後述する保安装置（図示せず）が取り付けられている。
【０００４】
次に保安装置について説明する。コンデンサ装置に何らかの異常が起こり、内圧上昇により容器が膨張することがある。保安装置は、このように容器が膨張して破裂することを防ぐことを目的として用いられる。保安装置は、容器内部の圧力上昇または容器の膨張を利用してコンデンサ装置の電流を遮断する。保安装置には、圧力スイッチを用いる圧力スイッチ方式や、容器内部に取り付けられた切断基板片が切断される切断基板片方式がある。圧力スイッチ方式は、圧力スイッチが容器内部の圧力上昇を検知し電流を遮断する。切断基板片方式は容器内部の圧力上昇に伴い、容器が膨張することを利用している。因みに、従来からある切断基板片方式の保安装置の構成が特許文献２等にて開示されている。
【０００５】
図２を用いて切断基板片方式の保安装置７について説明する。取付板８は金属板がＬ字状に折り曲げられており、取付板８の上面には２枚の絶縁板９が取り付けられている。絶縁板９が取り付けられた取付板８が２組用いられ、コンデンサ素体３の上部に配置される。２枚の絶縁板９の間に切断基板片１０が挟まれるように設けられている。取付板８には差し込み部１１が設けられており、容器２の内部に取り付けられた固定金具１２に差し込み部１１が差し込まれることで保安装置７が容器２に固定される。切断基板片１０は、その両端がそれぞれコンデンサ素体３と引き出し端子５にリード線（図示せず）で接続されている。
【０００６】
切断基板片方式の保安装置７の作用について説明する。コンデンサ装置１に何らかの異常が起こり、内圧上昇により容器２が膨張することがある。取付板８は固定金具１２を介して容器２に固定されているので、容器２が膨張すると切断基板片１０が引っ張られて、やがて切断される。切断基板片１０はコンデンサ素体３と引き出し端子５との間にリード線を介して電気的に接続され、電流の通路となっているので、切断基板片１０が切断されると電流が遮断される。
【先行技術文献】
【特許文献】
【０００７】
【特許文献１】特開２００８−２０５３２８号公報
【特許文献２】特開平０８−１５３６４４号公報
【発明の概要】
【発明が解決しようとする課題】
【０００８】
圧力スイッチ方式の保安装置が取り付けられるように構成されたコンデンサ装置に、切断基板片方式の保安装置を取り付けようとした場合、保護板が保安装置の絶縁板や切断基板片に干渉し取り付ける事が出来ないといった問題があった。
【０００９】
コンデンサ素体の上面に保護板を取り付ける事ができなければ、容器とコンデンサ素体との絶縁補強を行うことができずコンデンサ装置の信頼性の低下を招くことになる。また、蓋板が容器に溶接される際、コンデンサ素体を覆っている絶縁紙がスパッタによって破損される恐れがあり、これもコンデンサ装置の信頼性の低下を招くことになる。
【課題を解決するための手段】
【００１０】
本発明は、コンデンサ素体と、切断基板片方式の保安装置と、保護板が容器内に収容され、蓋板によって密閉され絶縁媒体が充填されたコンデンサ装置において、前記保護板の前記保安装置と干渉する部分に切り欠き部を設けたことを特徴としている。
【発明の効果】
【００１１】
保護板に切り欠き部を設けるといったシンプルな方法で、コンデンサ装置自体を大きくすることなく、コンデンサ素体と容器との絶縁補強を行うことができる。また、蓋板と容器との溶接時のスパッタからコンデンサ素体の絶縁紙を保護することができるので、コンデンサ装置の信頼性向上を低コストで図ることができる。
【図面の簡単な説明】
【００１２】
【図１】図１は本発明の実施形態に係るコンデンサ装置の構成を示す斜視図である。
【図２】図２は切断基板片方式の保安装置の構成を示す斜視図である。
【図３】図３は従来のコンデンサ装置の構成を示す斜視図である。
【発明を実施するための形態】
【００１３】
以下、本発明の実施例について図１を用いて説明する。図１はコンデンサ装置の内部構成を示している。金属製の容器２の内面の２ケ所に固定金具１２が取り付けられている。容器２の内部に絶縁紙４で覆われたコンデンサ素体３が挿入される。コンデンサ素体３の上面には引き出し端子５が導出されており、他の電気機器に接続される。引き出し端子５の間に切断基板片方式の保安装置７が配置され、取付板８の端部に設けられた差し込み部１１が容器２の内部に取り付けられた固定金具１２に差し込まれることで、保安装置７が容器２に固定される。取付板８の上面には２枚の絶縁板９が取り付けられており、その絶縁板９の間に切断基板片１０が挟み込まれるように取り付けられている。切断基板片１０の両端にはリード線（図示せず）が取り付けられており、それぞれコンデンサ素体３と引き出し端子５に接続されている。
【００１４】
保護板６の長辺側は折り曲げられており、この折り曲げられた部分は容器２とコンデンサ素体３との絶縁補強を目的として設けられている。保護板６には引き出し端子５が挿通される丸穴が設けられており、さらに切り欠き部１３が２ケ所設けられている。切り欠き部１３は、保安装置７の上面に取り付けられた絶縁板９と干渉する部分に合致する大きさに設定されている。また、保護板６の短辺側には当板１４が２ケ所に取り付けられている。保護板６をコンデンサ素体３の上面に配置したときに、当板１４の下面がコンデンサ素体３の上面に接触し、保護板６と絶縁板９が同一面となるような厚みに当板１４は設定されている。
【００１５】
容器２の内部に、コンデンサ素体３と保安装置７と保護板６が収納され後に、容器２の上面に蓋板（図示せず）が載置され、蓋板と容器２が溶接によって接合される。そして、絶縁媒体が充填されてコンデンサ装置１が完成する。
【符号の説明】
【００１６】
１    コンデンサ装置
２    容器
３    コンデンサ素体
４    絶縁紙
５    引き出し端子
６    保護板
７    保安装置
８    取付板
９    絶縁板
１０  切断基板片
１１  差し込み部
１２  固定金具
１３  切り欠き部
１４  当板
【図１】
2014183148.tif 000003
【図２】
2014183148.tif 000004
【図３】
2014183148.tif 000005